(57)【要約】【課題】複雑な構造をとることなく、洗面器内に水が溜められている状態で風吹出しセンサが手を検知しても水が飛散しない衛生的で使用感のよい洗面一体型手乾燥装置を提供することを目的としている。【解決手段】水を溜める空間を有する洗面器と、洗面器の上部に設けられた、洗浄水を吐出する水吐出口と、同じく洗面器の上部に設けられた、高速風を吹出す空気ノズルと、空気ノズルの近傍に設けられた、手の有無を検知する手検知センサと、洗面器を支持する洗面台に内蔵された高速風を発生する送風機と、送風機と空気ノズルを連結する送風ダクトと、洗面器内に溜まった水を静電容量によって検知する静電容量センサと、手検知センサと静電容量センサとからの情報に基づいて、送風機の駆動を制御する制御回路と、を備えたものである。【選択図】図１
2014050473.tif 000002
【特許請求の範囲】
【請求項１】
水を溜める空間を有する洗面器と、
前記洗面器の上部に設けられた、洗浄水を吐出する水吐出口と、
同じく前記洗面器の上部に設けられた、高速風を吹出す空気ノズルと、
前記空気ノズルの近傍に設けられた、手の有無を検知する手検知センサと、
前記洗面器を支持する洗面台に内蔵された高速風を発生する送風機と、
前記送風機と前記空気ノズルを連結する送風ダクトと、
前記洗面器内に溜まった水を静電容量によって検知する静電容量センサと、
前記手検知センサと前記静電容量センサとからの情報に基づいて、前記送風機の駆動を制御する制御回路と、を備えた
ことを特徴とする洗面一体型手乾燥装置。
【請求項２】
前記静電容量センサは、前記洗面台内部の側面に設けられ、
前記洗面器内の静電容量を検知する電極と、
前記電極によって検知された静電容量の信号を処理し、前記洗面器内の水の有無を判断する検知部とを備えた
ことを特徴とする請求項１に記載の洗面一体型手乾燥装置。
【請求項３】
前記制御回路は、
前記静電容量センサにより前記洗面器内に水が溜まっていることを検知した場合、
前記手検知センサが手を検知しても前記送風機に駆動電力を供給しない
ことを特徴とする請求項１又は２に記載の洗面一体型手乾燥装置。
【請求項４】
ＬＥＤやブザーなどの報知手段を有し、
前記制御回路は、
前記静電容量センサにより前記洗面器内に水が溜まっていることを検知した場合、
そのことを報知手段によって報知する
ことを特徴とする請求項１〜３のいずれか一項に記載の洗面一体型手乾燥装置。
【発明の詳細な説明】
【技術分野】
【０００１】
本発明は、濡れた手を乾燥させる洗面台に設けた洗面一体型手乾燥装置に関するものである。
【背景技術】
【０００２】
従来、この種の手乾燥装置としては、洗面器の上部に洗浄後の濡れた手を乾燥させる風吹き出しノズルが設けられ、洗面台に内蔵する送風機と風吹出しノズルとが送風ダクトで連結されたものが知られており、風吹き出しノズルの近傍に設けられた風吹出しセンサが手を検知すると、風吹き出しノズルから高速風が吹出して手を乾燥させる（例えば特許文献１参照）。
【先行技術文献】
【特許文献】
【０００３】
【特許文献１】特許第４１２８５７７号公報（たとえば、［００４０］〜［００４７］参照）
【発明の概要】
【発明が解決しようとする課題】
【０００４】
上記の手乾燥装置において、洗面器内に水が溜められている状態で風吹出しセンサが手を検知すると、洗面器内に溜められている水に向かって高速風が吹出し、水が飛散して使用者ばかりか周囲までも濡らしてしまうという課題があった。
【０００５】
本発明は、以上のような課題を解決するためになされたもので、複雑な構造をとることなく、洗面器内に水が溜められている状態で風吹出しセンサが手を検知しても水が飛散しない衛生的で使用感のよい洗面一体型手乾燥装置を提供することを目的としている。
【課題を解決するための手段】
【０００６】
本発明に係る洗面一体型手乾燥装置は、水を溜める空間を有する洗面器と、洗面器の上部に設けられた、洗浄水を吐出する水吐出口と、同じく洗面器の上部に設けられた、高速風を吹出す空気ノズルと、空気ノズルの近傍に設けられた、手の有無を検知する手検知センサと、洗面器を支持する洗面台に内蔵された高速風を発生する送風機と、送風機と空気ノズルを連結する送風ダクトと、洗面器内に溜まった水を静電容量によって検知する静電容量センサと、手検知センサと静電容量センサとからの情報に基づいて、送風機の駆動を制御する制御回路と、を備えたものである。
【発明の効果】
【０００７】
本発明に係る洗面一体型手乾燥装置によれば、複雑な構造をとることなく、水が飛散することのない衛生的で使用感のよい洗面一体型手乾燥装置を得ることができる。
【図面の簡単な説明】
【０００８】
【図１】本発明の実施の形態に係る洗面一体型手乾燥装置の側面図である。
【図２】本発明の実施の形態に係る洗面一体型手乾燥装置の正面図である。
【図３】本発明の実施の形態に係る洗面一体型手乾燥装置の貯留水検知処理フロー図である。
【図４】本発明の実施の形態に係る洗面一体型手乾燥装置の手検知処理フロー図である。
【発明を実施するための形態】
【０００９】
実施の形態．
図１は、本発明の実施の形態に係る洗面一体型手乾燥装置の側面図、図２は、本発明の実施の形態に係る洗面一体型手乾燥装置の正面図である。
まず初めに、図１及び図２を用いて本発明の実施の形態に係る洗面一体型手乾燥装置の構造について説明する。
洗面一体型手乾燥装置は、水を溜める空間を有する洗面器６と、洗面器の上部に設けられた、洗浄水を吐出する水吐出口７と、同じく洗面器の上部に設けられた、高速風を吹出す空気ノズル８と、空気ノズルの近傍に設けられた、手の有無を検知する手検知センサ９と、洗面器を支持する洗面台に内蔵された高速風を発生する送風機１１と、送風機１１と空気ノズルを連結する送風ダクト１３と、洗面器内に溜まった水を静電容量によって検知する静電容量センサと、手検知センサ９と静電容量センサとからの情報に基づいて、送風機１１に駆動電力を供給する制御回路１２と、を備えている。
【００１０】
床１に置かれた箱状の洗面台２の上部には、手洗いと手乾燥を兼ねるボウル状の手乾燥処理空間４を有し、底面には水を排出する排水口５を有する洗面器６が設けられ、さらにその奥上部には吐出系ユニット３が設けられている。吐出系ユニット３内には、手洗い時に洗浄水を吐出する水吐出口７、手の乾燥時に高速風を吹出す空気ノズル８、及び手を検知する手検知センサ９が備えられており、水吐出口７は手洗い時に洗面器６の略底部に向かって洗浄水が吐出するように配置されており、空気ノズル８は手の乾燥時に洗面器６の略底部に向かって高速風が吹出すように配置されており、手検知センサ９は空気ノズル８の近傍に配置されている。
【００１１】
洗面台２内部の下方には送風ユニット１０が備えられており、送風ユニット１０内部には高速風を生成する送風機１１及び制御回路１２が内蔵されている。また、送風機１１と空気ノズル８は送風ダクト１３で連結されている。
【００１２】
洗面台２内部の側面には、洗面器６内の貯留水の静電容量を計測するワイヤー状の静電容量検知電極１４と、静電容量検知電極１４によって生じる静電容量を検知し、それを信号処理する静電容量検知部１５とを備える静電容量センサが設けられている。静電容量検知電極１４は、洗面台２内部に臨む洗面器６の側面と、静電容量検知部１５とを連結しており、さらに静電容量検知部１５と制御回路１２とも連結している。
【００１３】
その他、図示しないが、手乾燥装置にはアラーム用ＬＥＤなど警報を行うための部品、及びＬＥＤやブザーなど報知を行うための部品が備えられている。
【００１４】
次に本発明の実施の形態に係る洗面一体型手乾燥装置の動作について説明する。
水吐出口７から吐出された洗浄水で手洗い後、手を手検知センサ９にかざすと、手検知信号が制御回路１２に伝えられ、制御回路１２は送風機１１に駆動電力を供給し始める。そうすると、送風機１１で生成された高速風は送風ダクト１３に通風され、空気ノズル８から高速風が吹出されて手の乾燥を始める。その後、手に付着した水分は高速風で吹き飛ばされて洗面器６の底部に位置する排水口５を通って排水管１６から排出される。なお、排水口５の上部には閉止弁１７が備えられ、閉止弁１７を閉じて排水口５を塞ぐことによって洗面器６に水が溜められるようになっている。
【００１５】
上記のように手を乾燥する際、空気ノズル８からの高速風の大半が手に直接当たっている場合においては、高速風は手に当たった直後に空気速度を大幅に減じて洗面器６の底部方向に流出する。しかし、乾燥途中や乾燥直後などであって、高速風の大半が手に当たらない場合においては、高速風は空気速度をほとんど減じずに洗面器６の底部方向に流出する。その際、閉止弁１７が閉じられて洗面器６内に水が溜められていると、高速風は空気速度をほとんど変えずに洗面器６内の水面に吹き付けることとなる。その結果、洗面器６内の水が飛散し、使用者や周囲を濡らしてしまう。
そこで、上記の事態を避けるため、静電容量検知電極１４と静電容量検知部１５とを備える静電容量センサで、洗面器６内に水が貯留状態かどうかを予め検知する。
【００１６】
図３は、本発明の実施の形態に係る洗面一体型手乾燥装置の貯留水検知処理フロー図、図４は、本発明の実施の形態に係る洗面一体型手乾燥装置の手検知処理フロー図である。
以下、図３及び図４を用いて本発明の実施の形態に係る洗面一体型手乾燥装置の静電容量センサによる貯留水検知処理について説明する。
【００１７】
静電容量センサの静電容量検知部１５は、まず初めにメモリクリアなどの初期化を行い（Ｓ１０１）、その後で静電容量検知電極１４の静電容量を検知し（Ｓ１０２）、その静電容量値をノイズ除去のため、平均処理する（Ｓ１０３）。なお、この平均処理は、静電容量を時系列にサンプリングしているため移動平均を用いるが、単純な加算平均であってもよい。
次に、検知した静電容量、又は平均処理後の静電容量の値をチェックし（Ｓ１０４）、その値が正常値以外の場合（所定の範囲外、又は所定の上限値を超えた場合）には異常と判断し、その信号が制御回路１２に伝えられる。そうすると、制御回路１２は異常処理として、アラーム用ＬＥＤの点灯などの警報を行い（Ｓ１０６）、異常が起きていることを使用者に知らせる。
一方、チェックした静電容量の値が正常値の場合（所定の範囲内、又は所定の上限値以下の場合）には正常と判断し、水検知処理に移行する（Ｓ１０５）。
水検知処理は、水検知判定値と水検知判定遅延時間とから水の有無を判定する。水を検知しない場合において、送風機１１運転が許可されていない状態であれば（Ｓ１０７）、許可フラグをＯＮにして、送風機１１運転を許可する（Ｓ１０８）。この後で手検知センサ９が手を検知すると（Ｓ２０１）、制御回路１２は送風機１１に駆動電力供給を開始し、運転を開始させる（Ｓ２０５、Ｓ２０６）。そのため、送風機１１運転が許可されていない状態で手検知センサ９が手を検知しても制御回路１２は送風機１１に駆動電力を供給しない（Ｓ２０１〜Ｓ２０４）。
一方、水を検知した場合において、送風機１１運転が許可されていない状態であれば（Ｓ１０９）、許可フラグをＯＦＦにして、送風機１１運転を禁止する（Ｓ１１０）。このとき、送風機１１が運転中であれば、制御回路１２は送風機１１への駆動電力供給を止め、運転を停止させる（Ｓ２０２〜Ｓ２０４）。そして、報知処理としてＬＥＤなどの点灯やブザーなどの鳴動を行い（Ｓ１１１）、洗面器６内に水が貯留されていることを使用者に知らせる。
なお、異常処理の際（Ｓ１０６）、上記の警報処理の他に、許可フラグをＯＦＦにする処理を追加してもよい。
【００１８】
上記のようにして、洗面器６内に水が貯留された状態で手検知センサ９が手を検知しても、送風機１１を運転させない。また、送風機１１が運転を開始した際は洗面器６内に水が貯留されていなかったが、その後、送風機１１の運転中に水を貯留させようとしても、水を検知した瞬間に送風機１１の運転を停止させる。そのため、洗面器６内に水が貯留された状態で空気ノズル８から高速風が吹出されることがなく、洗面器６内の水が飛散するのを防ぐことができ、衛生的である。また、洗面器６内に水が貯留されていることをＬＥＤなどの点灯やブザーなどの鳴動を行って使用者に報知できるため、使用者は閉止弁１７を開けて貯留水を排出してから手の乾燥処理を行うことができ、使用感がよい。
以上より、図１及び図２に示すように複雑な構造をとることなく、洗面器６内の水が飛散することのない衛生的で使用感のよい洗面一体型手乾燥装置を得ることができる。
【符号の説明】
【００１９】
１  床、２  洗面台、３  吐出系ユニット、４  手乾燥処理空間、５  排水口、６  洗面器、７  水吐出口、８  空気ノズル、９  手検知センサ、１０  送風ユニット、１１  送風機、１２  制御回路、１３  送風ダクト、１４  静電容量検知電極、１５  静電容量検知部、１６  排水管、１７  閉止弁。
【図１】
2014050473.tif 000003
【図２】
2014050473.tif 000004
【図３】
2014050473.tif 000005
【図４】
2014050473.tif 000006